(57)【要約】【課題】スイッチノブと保持部材との隙間を小さく抑えながら当該スイッチノブをスイッチ素子に不都合なく連結する。【解決手段】特定方向に変位可能な操作軸（変位部）３４を有するスイッチ素子３０と、その操作軸３４を押圧操作するためのスイッチノブ１０と、これを保持する保持部材２０とを備える。スイッチノブ１０は、押圧操作方向に変位可能となるように保持部材２０に保持され、押圧操作方向に押圧操作を受けるノブ本体部１２と、その押圧操作力を操作軸３４に伝達して当該操作軸３４を変位させる一対の係合片１７とを備える。両係合片１７は、操作軸３４に係合してこの操作軸３４と一体に変位する係合部１７ａと、当該係合部１７ａとノブ本体部１２とを連結し、かつ前記押圧操作方向と直交する方向に当該係合部１７ａとノブ本体部１２とが相対変位するのを許容するように同方向に弾性変形する形状の連結部１７ｂとを有する。【選択図】図２
2011150962.tif 000002
【特許請求の範囲】
【請求項１】
特定方向に変位可能な変位部を有するスイッチ素子の当該変位部に連結され、この変位部の変位方向と平行な押圧操作方向に押圧操作を受けることが可能となるように保持部材に保持されるスイッチノブであって、
前記押圧操作方向に変位可能となるように前記保持部材に保持され、前記押圧操作方向に押圧操作を受けるノブ本体部と、
前記スイッチ素子の前記変位部に係合してこの変位部と一体に変位する係合部と、
当該係合部と前記ノブ本体部とを連結し、かつ前記押圧操作方向と直交する方向に当該係合部と前記ノブ本体部とが相対変位するのを許容するように同方向に弾性変形する形状の連結部とを有することを特徴とするスイッチノブ。
【請求項２】
請求項１に記載のスイッチノブにおいて、
前記ノブ本体部は、前記押圧操作方向と直交する方向における前記係合部の両側の位置に被連結部分を有しており、これら被連結部分と前記係合部との間に前記連結部がそれぞれ介在していることを特徴とするスイッチノブ。
【請求項３】
請求項２に記載のスイッチノブにおいて、
前記ノブ本体部は、押圧操作を受ける被押圧壁とこの被押圧壁の周囲から前記押圧操作方向に延びる側壁とを有する中空状をなし、前記係合部は、前記ノブ本体部の前記側壁の外側に設けられ、前記被連結部分は、前記側壁の外側面上に形成されていることを特徴とするスイッチノブ。
【請求項４】
請求項１乃至３の何れか一項に記載のスイッチノブにおいて、
前記ノブ本体部は、前記係合部が前記スイッチ素子の変位部に係合した状態で、当該変位部に対して前記押圧操作方向と直交する方向の相対変位が許容されながら前記押圧操作方向と平行な方向に沿って前記変位部に当接する当接部を有していることを特徴とするスイッチノブ。
【請求項５】
請求項１乃至４の何れか一項に記載のスイッチノブにおいて、
前記ノブ本体部、係合部及び連結部が同一材料により一体に形成されていることを特徴とするスイッチノブ。
【請求項６】
請求項１乃至５の何れかに記載のスイッチノブと、
特定方向に変位可能な変位部を有し、前記スイッチノブの係合部が前記変位部に係合することにより前記スイッチノブに連結されるスイッチ素子と、
前記スイッチノブのノブ本体部が前記変位部の変位方向と平行な押圧操作方向に変位可能となるように当該ノブ本体部を保持する保持部材とを備えたことを特徴とするスイッチ装置。
【請求項７】
請求項３に記載のスイッチノブと、
特定方向に変位可能な変位部を有し、前記スイッチノブの係合部が前記変位部に係合することにより前記スイッチノブに連結されるスイッチ素子と、
前記スイッチノブのノブ本体部が前記変位部の変位方向と平行な押圧操作方向に変位可能となるように当該ノブ本体部を保持する保持部材と、
前記スイッチノブの前記ノブ本体部の側壁の内側の位置に配置されかつ前記スイッチ素子の接点開閉に応じて発光する光源とを備え、
前記スイッチ素子は、前記ノブ本体部の側壁の外側の位置に配置され、その変位部に前スイッチノブの係合部が係合することにより当該スイッチノブに連結されていることを特徴とするスイッチ装置。
【請求項８】
請求項６又は７に記載のスイッチ装置において、
前記スイッチ素子は、前記変位部がその変位方向に押圧力を受ける度に当該変位部の位置が第１の切換位置とこの第１の切換位置から前記変位方向に離れた第２の切換位置とに切換られるプッシュロックスイッチであり、前記スイッチノブは、前記変位部と一体にその変位方向に変位するように前記係合部が当該変位部に係合していることを特徴とするスイッチ装置。
【発明の詳細な説明】
【技術分野】
【０００１】
本発明は、スイッチ素子の切換のために押圧操作を受けるスイッチノブ及びこのスイッチノブを備えたスイッチ装置に関するものである。
【背景技術】
【０００２】
従来、車両のハザードスイッチ等として、例えば特許文献１に記載されるようなプッシュロック機構が組み込まれたスイッチ装置が知られている。このスイッチ装置は、押圧操作を受けるスイッチノブ（同文献では押釦）と、これが固定される可動部材と、この可動部材を前記押圧操作方向にスライド可能に保持する保持部材（同文献では第１、第２固定部材）とを有している。可動部材および保持部材はそれぞれ接点を有し、かつハートカム及びロックピン等で構成されるプッシュロック機構を介して互いに連結されており、前記スイッチノブが押圧力を受けるたびに位置切換され、この位置切換に伴い接点の開閉が行われる。
【先行技術文献】
【特許文献】
【０００３】
【特許文献１】特開平９−３２０３８７号公報
【発明の概要】
【発明が解決しようとする課題】
【０００４】
近年、前記のようなスイッチ装置を構築するにあたり、基板に実装されて検出信号を出力するスイッチ素子を用い、かつこのスイッチ素子として前記プッシュロック機構と同等の機構をもつ機構が予め組み込まれたものを用いるものが開発されている。このスイッチ素子は、操作軸を有し、この操作軸が押圧力を受けるたびに位置切換されてスイッチがオンオフされる。
【０００５】
このようにスイッチ素子そのものがプッシュロック機構を備える装置では、当該スイッチ素子の外部に別途プッシュロック機構を付加する必要がなく、その分構造が簡素化される。例えば、このようなプッシュロック機構を含むスイッチ素子を用いて上記のようなハザードスイッチ等のスイッチ装置を構成する場合には、基板に実装された前記スイッチ素子の操作軸に、その軸方向に押圧操作を受けるスイッチノブを連結し、このスイッチノブを保持部材により前記軸方向にスライド可能に保持すればよい。
【０００６】
しかし、このようなタイプのスイッチ装置では、前記スイッチ素子と前記スイッチノブとの連結について次のような課題が生じる。すなわち、前記スイッチ素子を用いたスイッチ装置では、スイッチ素子が実装される基板とスイッチノブを保持する保持部材との相対位置について組付誤差が発生する。その一方、スイッチノブは操作軸と一体に変位可能となるようにこの操作軸に連結されなければならないので、上記組付誤差が生じた場合には、スイッチノブと操作軸との連結に支障が生じたり、スイッチノブに連結された操作軸が不要な力を受けることによりスイッチ素子の作動不良や破損等を誘発することが考えられる。このような不都合は各部品の寸法精度のバラツキによっても同様に発生し得る。
【０００７】
このような不都合を伴うことなく、前記スイッチノブが前記スイッチ素子に連結され、かつ前記保持部材に保持されることを可能とするためには、当該スイッチノブの外側面と保持部材の内側面との間に前記誤差を吸収するための隙間を確保することが考えられる。しかし、当該隙間を大きく設定することは、スイッチノブのガタツキの要因になるため必ずしも得策とは言えない。
【０００８】
本発明は、このような事情に鑑み、スイッチノブと保持部材との隙間を小さく抑えながら、保持部材とスイッチ素子との相対位置のバラつき等にかかわらず前記スイッチノブを前記スイッチ素子に不都合なく連結できるようにすることを目的とする。
【課題を解決するための手段】
【０００９】
上記課題を解決するための本発明は、特定方向に変位可能な変位部を有するスイッチ素子の当該変位部に連結され、この変位部の変位方向と平行な押圧操作方向に押圧操作を受けることが可能となるように保持部材に保持されるスイッチノブであって、前記押圧操作方向に変位可能となるように前記保持部材に保持され、前記押圧操作方向に押圧操作を受けるノブ本体部と、前記スイッチ素子の前記変位部に係合してこの変位部と一体に変位する係合部と、当該係合部と前記ノブ本体部とを連結し、かつ前記押圧操作方向と直交する方向に当該係合部と前記ノブ本体部とが相対変位するのを許容するように同方向に弾性変形する形状の連結部とを有するものである。
【００１０】
また、本発明は、スイッチ装置であって、特定方向に変位可能な変位部を有し、前記スイッチノブの係合部が前記変位部に係合することにより前記スイッチノブに連結されるスイッチ素子と、前記スイッチノブのノブ本体部が前記変位部の変位方向と平行な押圧操作方向に変位可能となるように当該ノブ本体部を保持する保持部材とを備えたものである。
【００１１】
前記スイッチノブおよびこれを備えた前記スイッチ装置では、前記スイッチ素子と前記保持部材との相対位置について誤差（押圧操作方向と直交する方向についての誤差）が存在しても、この誤差をスイッチノブにおけるノブ本体部と係合部との相対変位により吸収することができる。従って、当該スイッチノブと保持部材との隙間を大きく確保しなくても、スイッチノブを前記スイッチ素子の変位部に不都合なく連結することが可能となる。
【００１２】
本発明は、特に、前記スイッチ素子が、前記変位部がその変位方向に押圧力を受ける度に当該変位部の位置が第１の切換位置とこの第１の切換位置から前記変位方向に離れた第２の切換位置とに切換られるプッシュロックスイッチである場合に有効である。この場合には、前記スイッチノブは、前記変位部と一体にその変位方向に変位するように前記係合部が当該変位部に係合していることが必要であり、当該変位部と当該係合部との間の相対変位は殆ど期待できないため、前記係合部とノブ本体部との相対変位により前記スイッチ素子と前記保持部材との相対位置の誤差を吸収することはきわめて有効となる。
【００１３】
スイッチノブのより具体的な構成として、例えば前記ノブ本体部は、前記押圧操作方向と直交する方向における前記係合部の両側の位置に被連結部分を有しており、これら被連結部分と前記係合部との間に前記連結部がそれぞれ介在しているのが好適である。この構成では、ノブ本体部が受ける押圧操作力が前記変位部に対しての両側から伝達される。そのため、係合部とノブ本体部との相対変位を許容する一方で、ノブ本体部が受ける押圧操作力を安定的に前記変位部に伝達して当該変位部を適正に変位させることが可能となる。
【００１４】
なお、前記ノブ本体部が押圧操作を受ける被押圧壁とこの被押圧壁の周囲から前記押圧操作方向に延びる側壁とを有する中空状をなすスイッチノブでは、前記係合部は、前記ノブ本体部の前記側壁の外側に設けられ、前記被連結部分は、前記側壁の外側面上に形成されているものでもよい。この構成によれば、ノブ本体部の側壁の外側の位置にスイッチ素子が配置されるような場合において、上記のような作用を享受しつつスイッチノブと前記スイッチ素子の変位部とを連結することが可能となる。このようなスイッチノブによれば、例えばスイッチ装置として、当該スイッチノブと、特定方向に変位可能な変位部を有し、前記スイッチノブの係合部が前記変位部に係合することにより前記スイッチノブに連結されるスイッチ素子と、前記スイッチノブのノブ本体部が前記変位部の変位方向と平行な押圧操作方向に変位可能となるように当該ノブ本体部を保持する保持部材と、前記スイッチノブの前記ノブ本体部の側壁の内側の位置に配置されかつ前記スイッチ素子の接点開閉に応じて発光する光源とを備え、前記スイッチ素子が、前記ノブ本体部の側壁の外側の位置に配置され、その変位部に前スイッチノブの係合部が係合することにより当該スイッチノブに連結されたものを構築することができる。
【００１５】
また、前記ノブ本体部は、前記係合部が前記スイッチ素子の変位部に係合した状態で、当該変位部に対して前記押圧操作方向と直交する方向の相対変位が許容されながら前記押圧操作方向と平行な方向に沿って前記変位部に当接する当接部を有しているのが好適である。この構成では、前記係合部及び連結部とは別に、ノブ本体部が受ける押圧操作力が前記当接部を介してノブ本体部から直接前記変位部に伝達される。そのため、前記連結部の変形等の影響を受けることなく前記押圧操作力がより確実に前記変位部に伝達される。
【００１６】
上記のようなスイッチノブは、前記ノブ本体部、係合部及び連結部の全部又は一部が別体として形成された上で互いに組付けられた構成のものであってもよいが、前記ノブ本体部、係合部及び連結部が同一材料により一体に形成されている構成によれば、当該スイッチノブの生産性を高める上で有利となる。
【発明の効果】
【００１７】
以上のように、本発明によれば、スイッチノブにおけるノブ本体部と係合部との相対変位により保持部材とスイッチ素子との相対位置の誤差を吸収することができるので、当該スイッチノブと保持部材との隙間を小さく抑えながら当該スイッチノブをスイッチ素子に不都合なく連結することが可能となる。
【図面の簡単な説明】
【００１８】
【図１】本発明に係るスイッチ装置を示す平面図である。
【図２】スイッチ装置を示す斜視図（外装パネルは仮想線で示す）である。
【図３】スイッチ装置を示す分解斜視図である。
【図４】スイッチ装置を示す縦断面図（図１のＩＶ−ＩＶ線断面図）である。
【図５】スイッチ装置を示す縦断面図（図１のＶ−Ｖ線断面図）である。
【発明を実施するための形態】
【００１９】
以下、添付図面を参照しながら本発明の実施の形態について詳述する。
【００２０】
図１〜図５は、本発明に係るスイッチ装置を概略的に示している。この図に示すスイッチ装置は、スイッチノブ１０及びその保持部材２０と、スイッチ素子３０が実装された回路基板４０と、これら全体を覆う外装パネル５０とを備える。
【００２１】
前記スイッチ素子３０は、いわゆるプッシュロックスイッチであり、回路基板４０に実装される本体部３２と、この本体部３２に保持される操作軸３４（本発明の変位部に相当する）とを有する。この操作軸３４は、前記本体部３２に対して当該操作軸３４の軸方向、当例では前記回路基板４０の法線方向と平行な方向に変位可能なものであり、同方向の押圧力を受ける度に、図２及び図４に示す第１の切換位置と、この第１の切換位置よりも前記本体部３２内に没入する（すなわち前記軸方向に沿って前記回路基板４０側に近づく）第２の切換位置とに交互に切換えられる。この切換により、前記本体部３２内の接点が開閉される。
【００２２】
なお、前記回路基板４０には、ＬＥＤ等の発光素子３６（本発明の光源に相当する）が実装されており、これが前記操作軸３４の位置切換に応じて点灯する。この発光素子３６は、スイッチノブ１０の後記側壁１２ｂの内側の位置に配置され、当例では、操作軸３４が第２の切換位置に切換られた状態で点灯するように当該発光素子３６が基板上回路に接続されている。
【００２３】
前記保持部材２０は、前記スイッチノブ１０が前記操作軸３４の変位方向と平行な押圧操作方向に変位可能となるように当該スイッチノブ１０を保持するもので、前記回路基板４０上に重ねられている。
【００２４】
前記スイッチノブ１０は、外装パネル５０の外側から指等で押圧操作を受けることにより、その押圧操作方向、すなわち前記操作軸３４の変位方向と平行な方向に変位し、当該押圧操作力を前記スイッチ素子３０の操作軸３４に伝達する。そのために、このスイッチノブ１０は、前記押圧操作方向にスライド可能となるように前記保持部材２０により保持されている。
【００２５】
このスイッチノブ１０は、外装パネル５０から露出して前記押圧操作を受けるノブ本体部１２と、ノブ本体部１２が受ける押圧操作力を前記スイッチ素子３０の操作軸３４に伝達して当該操作軸３４をその軸方向に変位させる一対の係合片１７とを備え、これらノブ本体部１２と両係合片１７とが同一材料により一体成型されたものである。
【００２６】
前記ノブ本体部１２は、前記押圧操作を受ける被操作壁１２ａと当該被操作壁１２ａの周縁部から前記押圧操作方向に延びる側壁１２ｂとを有した中空状をなす。前記側壁１２ｂは、ほぼ四角筒状をなし、前記押圧操作方向と平行な外側面を有する。当該側壁１２ｂのうち一側面には、当該側面から突出して前記押圧操作方向と平行な方向に延びる一対の平行リブ１３（本発明の被連結部分に相当する）が形成され、この平行リブ１３の内側に前記一対の係合片１７が設けられている。一方、前記保持部材２０は、ノブ本体部１２の前記側壁１２ｂを、前記平行リブ１３が設けられる側面を除く三方から囲み、かつその外側面と略平行な内側面をもつ案内壁２４を有しており、当該案内壁２４の内側に前記ノブ本体部１２が前記押圧操作方向と平行な方向にスライド可能となるように嵌入されている。
【００２７】
前記ノブ本体部１２の各平行リブ１３の外側面、及び前記側壁１２ｂのうち当該平行リブ１３が設けられる外側面とは反対側の外側面には、それぞれ当該外側面から突出して前記押圧操作方向に延びる案内用凸部１４が形成されている。一方、前記保持部材２０の案内壁２４には、これら案内用凸部１４に対応して前記押圧操作方向に延びる案内溝２６が形成されており、各案内用凸部１４がそれぞれ対応する案内溝２６に挿入されている。
【００２８】
スイッチノブ１０の前記一対の係合片１７は、ノブ本体部１２の側壁１２ｂの外側であってかつ前記両平行リブ１３の間の位置に配置される前記スイッチ素子３０の操作軸３４を左右両側から挟持するように各平行リブ１３の間に内向きに設けられている。
【００２９】
各係合片１７は、スイッチ素子３０の前記操作軸３４に係合してこの操作軸３４と一体に変位する係合部１７ａと、当該係合部１７ａと前記平行リブ１３（つまりノブ本体部１２）とを連結する連結部１７ｂとを有している。当例では、前記係合部１７ａが前記押圧操作方向に延びてスイッチ素子３０の前記操作軸３４を左右両側から挟持するように形成され、連結部１７ｂが前記係合部１７ａの上端（回路基板４０側とは反対側の端部）と前記平行リブ１３とを連結するように形成されることにより、各係合片１７は、全体として略逆Ｌ字型の形状をなしている（図４参照）。
【００３０】
前記各係合片１７の係合部１７ａの先端には内向きの突起１７ｃが形成される一方、前記操作軸３４の外周面には当該突起１７ｃが係合可能な溝部３４ａが形成されている。この係合により、前記操作軸３４と前記スイッチノブ１０とが一体に変位するように互いに両係合片１７を介して連結されている。
【００３１】
前記各係合片１７のうち前記連結部１７ｂは、前記押圧操作方向と直交する方向、当例では当該両係合片１７の並び方向と平行な方向における前記ノブ本体部１２と前記係合部１７ａとの相対変位が許容されるように同方向に弾性変形可能な形状を有している。具体的には、前記連結部１７ｂは、前記係合部１７ａと前記平行リブ１３との間の位置で前記押圧操作方向に一乃至複数回屈曲しながら同方向と直交する方向に延びる形状を有しており、当例では、当該直交する方向の線分を基準として蛇行するように前記連結部１７ｂが形成されている。
【００３２】
なお、前記ノブ本体部１２は、当該操作軸３４に対して前記押圧操作方向と直交する方向の相対変位が許容されながら前記押圧操作方向と平行な方向に沿って前記操作軸３４に当接する当接部１８を有している。この当接部１８は、前記両係合片１７の間に介在するように前記側壁１２ｂの外側面上に突設されたリブからなる。当該当接部１８は、各係合片１７（係合部１７ａ）がスイッチ素子３０の操作軸３４に係合した状態で当該操作軸３４の先端面（図２では上端面）に当接するように形成されており、一方、当該操作軸３４の先端面は前記押圧操作方向と直交する平坦面とされている。この構成によりノブ本体部１２の前記被操作壁１２ａが受ける押圧操作力が、前記係合片１７とは別に上記当接部１８を介して操作軸３４に伝達される。
【００３３】
前記外装パネル５０は、開口部５２ａが形成された天井壁５２とその周縁部から前記押圧操作方向に延びる側壁５４とを有した中空状をなし、スイッチノブ１０（ノブ本体部１２の被操作壁１２ａ）が前記開口部５２ａから外部に臨むように当該スイッチノブ１０、保持部材２０及び回路基板４０に被せられる。詳しくは、前記外装パネル５０の側壁５４は、ほぼ四角筒状をなしている。一方、保持部材２０は、その一端部（回路基板４０側の一端部）の外周面上に形成されるフランジ２２により当該一端部における外面形状が前記側壁５４の内面形状と一致する四角形状とされ、前記回路基板４０の外面形状も側壁５４の当該内面形状と一致する四角形状とされている。そして、図４に示すように、前記外装パネル５０が保持部材２０（フランジ２２の部分）及び回路基板４０に外嵌するようにこれら回路基板４０等に対して被せられている。
【００３４】
上記のようなスイッチ装置では、スイッチノブ１０のノブ本体部１２と、スイッチ素子３０の操作軸３４に係合する係合部１７ａとが前記押圧操作方向と直交する方向（前記係合片１７の並び方向）に相対変位可能となっているので、前記保持部材２０と前記スイッチ素子３０との相対位置に多少の誤差（前記係合片１７の並び方向の誤差）があっても、これを前記ノブ本体部１２と係合部１７ａとの相対変位によって吸収することができる。また、前記押圧操作方向と直交する方向であっって前記係合片１７の並び方向と直交する方向については、両係合片１７の係合部１７ａ（突起１７ｃ）の係合位置を前記操作軸３４の溝部３４ａに沿ってずらすことで前記保持部材２０と前記スイッチ素子３０との相対位置の誤差を吸収することができる。従って、このスイッチ装置によれば、前記ノブ本体部１２と保持部材２０との隙間を極力抑えながらも、前記誤差（バラつき）にかかわらず前記スイッチノブ１０と前記スイッチ素子３０の操作軸３４とを不都合なく連結することができる。
【００３５】
しかも、このスイッチ装置では、前記操作軸３４及びこれに係合する係合部１７ａを中心としてこれらと前記両平行リブ１３（ノブ本体部１２）との間にそれぞれ前記連結部１７ｂが介在した構成となっているので、ノブ本体部１２が受ける押圧操作力が前記操作軸３４に対しての両側から伝達される。特に、このスイッチ装置では、前記操作軸３４に当接することにより前記ノブ本体部１２が受ける押圧操作力を前記係合片１７とは別に前記操作軸３４に伝達する当接部１８をノブ本体部１２が有しているので、前記ノブ本体部１２が受ける押圧操作力を上記連結部１７ｂの変形等にかかわらず前記操作軸３４に確実に伝達することができる。従って、このスイッチ装置によれば、係合部１７ａとノブ本体部１２との相対変位を許容する一方で、ノブ本体部１２が受ける押圧操作力を安定的に前記操作軸３４に伝達して当該操作軸３４を適正に変位させることができるという利点もある。
【００３６】
なお、上述したスイッチ装置は本発明に係るスイッチ装置（本発明に係るスイッチノブが適用されたスイッチ装置）の好ましい実施形態の一例であってその具体的な構成は本発明の要旨を逸脱しない範囲で適宜変更可能である。
【００３７】
例えば、上記実施形態のスイッチ装置では、スイッチノブ１０は、その外側、すなわちノブ本体部１２の側壁１２ｂの外側に前記係合片１７が設けられた構成であるが、スイッチノブ１０は、スイッチノブ１０の内側に係合片１７が設けられた構成、具体的には、前記ノブ本体部１２の被操作壁１２ａの裏面又は側壁１２ｂの内側面に前記係合片１７が形成されたものであってもよい。例えば、スイッチ装置の構成において、スイッチノブ１０の内側に上記のような発光素子３６を配置する必要がない場合には、スイッチノブ１０としてその内側に係合片１７を備えたものを適用し、スイッチノブ１０の内側にスイッチ素子３０を配置した上で当該スイッチノブ１０とスイッチ素子３０とを当該スイッチノブ１０の内側の位置で連結するようにしてもよい。
【００３８】
また、スイッチノブ１０と操作軸３４とを連結するための部分は、操作軸３４に係合してこの操作軸３４と一体に変位する係合部と、この係合部とノブ本体部１２とを連結し、かつ前記押圧操作方向と直交する方向に当該係合部とノブ本体部１２とが相対変位するのを許容するように同方向に弾性変形する形状の連結部とを有するものであれば上記のような一対の係合片１７に限定されるものではなく、他の形状のものを適用することもできる。例えば、上記係合片１７を一体化した形状、すなわち操作軸３４の先端部を被う単一の係合部と、この係合部をその両側でノブ本体部１２に連結する弾性変形可能な連結部とを設けた構成であってもよい。
【００３９】
なお、本発明のスイッチ装置は、上記のように箱型の外装パネル５０にスイッチノブ１０、保持部材２０及びスイッチ素子３０等が組み込まれた独立型の構成に限らず、車両の車室内に臨むように設けられた操作パネル（インストルメントパネル）等に組み込まれた構成も含む。この構成では、例えば操作パネルの後側に前記保持部材２０が一体に形成され、前記操作パネルの外側から押圧操作可能となるように前記スイッチノブ１０がこの保持部材２０に保持される。そして、前記操作パネルの後側にこれと略平行に前記回路基板４０が配置され、この回路基板４０に実装される前記スイッチ素子３０の操作軸３４に前記両係合片１７を介して前記スイッチノブ１０が連結される。
【符号の説明】
【００４０】
１０  スイッチノブ
１２  ノブ本体部
１７  係止片
１７ａ  係合部
１７ｂ  連結部
１８  当接部
２０  保持部材
２４  案内壁
３０  スイッチ素子
３２  本体部
３４  操作軸（変位部）
４０  回路基板
５０  外装パネル
【図１】
2011150962.tif 000003
【図２】
2011150962.tif 000004
【図３】
2011150962.tif 000005
【図４】
2011150962.tif 000006
【図５】
2011150962.tif 000007